(57)【特許請求の範囲】
【請求項１】
ポット本体の上縁の鍔部に上下方向に開口して設けられた係止開口と、前記係止開口の長手方向に沿った各対向内壁面に、前記長手方向に沿って所定間隔をおいて他方の内壁面に向けてそれぞれ突設された各々一対の第１及び第２の各係止突起とでラベル係止機構が構成され、
前記第１及び第２の各係止突起は、いずれも下方に向けて徐々に幅広となった形状であって、前記各対向内壁面の一方に形成された一対の第１係止突起の両側に、その他方に形成された一対の第２係止突起が配置されていて、
前記係止開口に差し込まれた表示ラベルの先端の被係止部を、前記第１及び第２の各係止突起に、容易に抜けなくて、しかも左右方向にずれない状態で係止させる構成のフラワーポットであって、
前記一対の第１係止突起の間に、これと同一側に向けて突出する第３係止突起が形成されて、該第３係止突起の下端から所定長の部分までの間に、前記係止開口に差し込まれた表示ラベルのラベル面に当接する垂直な当接保持面が形成されていることを特徴とするラベル係止機構を備えたフラワーポット。
【請求項２】
第３係止突起の突出長は、一対の第１係止突起の突出長よりも短くなっていることを特徴とする請求項１に記載のラベル係止機構を備えたフラワーポット。
【請求項３】
一対の第２係止突起は、表示ラベルの差込み時の抵抗を小さくするために、内側面と先端面との交差部が面取り状態となっていることを特徴とする請求項１又は２に記載のラベル係止機構を備えたフラワーポット。
【発明の詳細な説明】
【０００１】
【発明の属する技術分野】
本発明は、ポット本体の上縁の鍔部に表示ラベルを差し込んで係止させるラベル係止機構が設けられたフラワーポットに関するものである。
【０００２】
【従来の技術】
ラベル係止機構を備えたフラワーポット（以下、単に「ポット」と略す場合もある）の一つとして、オーストラリア特許第６１６３４６号公報に開示されているものがある。このポットＰ’は、図２５に示されるように、ポット本体５０の鍔部５１に、その上方延出板部５２と平行に内側対向壁板部５３が一体成形され、前記内側対向壁板部５３の長手方向の両端部は、前記上方延出板部５２に対して連結板部５４により連結されている。この結果、内側対向壁板部５３と、該内側対向壁板部５３と対向する部分の上方延出板部５２と、一対の連結板部５４とにより、細長比（長方形の縦横の各長さの比）の大きな長方形状の係止開口５５がポット本体５０の周方向に沿って形成される。なお、係止開口５５の底部は、開口されている。
【０００３】
また、前記内側対向壁板部５３と、これと対向する上方延出板部５２とには、それぞれ一対ずつの第１及び第２の各係止突起５６，５７が、対向壁面に向けて一体に形成されている。第１及び第２の各係止突起５６，５７は、いずれも側面視で直角三角形状をしていて、内側対向壁板部５３には、一対の第１係止突起５６が係止開口５５の長手方向に沿って所定間隔をおいて形成され、上方延出板部５２には、前記一対の第１係止突起５６の両側に配置された状態で、一対の第２係止突起５７が形成されている。また、第１及び第２の各係止突起５６，５７の幅は、上方から下方に向けて徐々に広くなっていて、対向壁面に一体に形成された第１及び第２の各係止突起５６，５７の下端部では、側面視において僅かに重複している。
【０００４】
一方、図示の表示ラベルＬ’は、ラベル本体６１の下端部に首部６２を介して差込みヘッド６３が形成された形状であって、前記差込みヘッド６３の上端両側に係止面６４が形成される。前記首部６２の幅は、上方延出板部５２に形成された外側の一対の第２係止突起５７の内寸法に対応させてある。そして、図２５に示されるように、ポットＰ’の係止開口５５に対してその上方から表示ラベルＬ’の差込みヘッド６３を差し込むと、該差込みヘッド６３は、幅方向に沿って僅かにわん曲された形状となって、外側の一対の第２係止突起５７の部分を通過すると、前記差込みヘッド６３の上端両側の各係止面６４が、外端の一対の第２係止突起５７の下面に対して係止して、上方への抜け出しと、左右方向の移動との双方を阻止すると共に、首部６２と差込みヘッド６３の接続部分が、中央の一対の第１係止突起５６の下端の先鋭部と上方延出板部５２との間に配置されて、前後方向に大きく傾斜するのを阻止する。
【０００５】
ここで、表示ラベルＬ’が前後方向に大きく傾斜するのが防止されるのは、中央の一対の第１係止突起５６の下端の先鋭部と、これと対向する上方延出板部５２の内壁面との間に表示ラベルＬ’が差し込まれる構成による。このように、表示ラベルＬ’の内側においては、一対の第１係止突起５６の下端の先鋭部が当接する構成であるので、表示ラベルＬ’が前後方向に大きく傾斜するのを防止するのは、その構造からして難しい。特に、係止開口５５に対する表示ラベルＬ’の差し込みを容易にさせるために、その幅を広くすると、上記不具合は顕著となる。
【０００６】
【発明が解決しようとする課題】
本発明は、ラベル係止機構を備えたフラワーポットにおいて、係止突起の形状の工夫により、表示ラベルが前後方向に大きく傾斜するのを防止して、安定して起立可能にすることを課題としている。
【０００７】
【課題を解決するための手段】
上記課題を解決するための請求項１に記載の発明は、ポット本体の上縁の鍔部に上下方向に開口して設けられた係止開口と、前記係止開口の長手方向に沿った各対向内壁面に、前記長手方向に沿って所定間隔をおいて他方の内壁面に向けてそれぞれ突設された各々一対の第１及び第２の各係止突起とでラベル係止機構が構成され、前記第１及び第２の各係止突起は、いずれも下方に向けて徐々に幅広となった形状であって、前記各対向内壁面の一方に形成された一対の第１係止突起の両側に、その他方に形成された一対の第２係止突起が配置されていて、前記係止開口に差し込まれた表示ラベルの先端の被係止部を、前記第１及び第２の各係止突起に、容易に抜けなくて、しかも左右方向にずれない状態で係止させる構成のフラワーポットであって、前記一対の第１係止突起の間に、これと同一側に向けて突出する第３係止突起が形成されて、該第３係止突起の下端から所定長の部分までの間に、前記係止開口に差し込まれた表示ラベルのラベル面に当接する垂直な当接保持面が形成されていることを特徴としている。
【０００８】
両端に配置された一対の第２係止突起は、ラベルの先端の被係止部と必ず係止するが、その内側である中央の一対の第１係止突起は、ラベルの被係止部に形状によって係止したり、しなかったりする。そして、請求項１の発明によれば、いずれの場合でも、中央の一対の第１係止突起の間に、これと同一側に突出する第３係止突起が形成されて、該第３係止突起の下端から所定長の部分までの間に垂直な当接保持面が形成されているので、係止開口に差し込まれた表示ラベルのラベル面の幅方向の中央部が、前記当接保持面に上下方向に沿って所定長の部分だけ当接する。このため、係止開口に差し込まれた表示ラベルは、垂直を保持し易くなって、前記方向に大きく傾斜するのが防止されるので、差し込まれた表示ラベルの上方への抜け出しと、左右方向への移動との双方が一層確実に防止される。
【０００９】
また、請求項２の発明は、請求項１の発明において、前記第３係止突起の突出長を一対の第１係止突起の突出長よりも短くしたことを特徴としている。
【００１０】
表示ラベルの被係止部が左右一対の横長方形状の被係止孔で構成されている場合には、左右の各被係止孔は、左右の一組ずつの第１及び第２の各係止突起に係止して、表示ラベルは、第１係止突起の先端縁よりも僅かに基端側に配置された状態で、係止開口に対して係止される。また、表示ラベルの係止部が、上記の場合よりも細長比の大きな横長方形状の一つの被係止孔で構成されている場合には、表示ラベルの被係止孔は、外側の一対の第２係止突起と係止して、内側の一対の第１係止突起の先端縁は、被係止孔に挿入された状態となって、表示ラベルは、第１係止突起の先端縁よりも僅かに基端側に配置された状態で、係止開口に対して係止される。請求項２の発明によれば、上記のような場合には、垂直な当接保持面を備えた第３係止突起の突出長が一対の第１係止突起の突出長よりも短くなっているので、表示ラベルの幅方向の中央部が前記第３係止突起の当接保持面に当接し易くなる。この結果、係止開口に差し込まれた表示ラベルは、垂直姿勢を保持し易くなる。
【００１１】
また、請求項３の発明は、請求項１又は２の発明において、一対の第２係止突起は、表示ラベルの差込み時の抵抗を小さくするために、内側面と先端面との交差部が面取り状態となっていることを特徴としている。
【００１２】
係止開口に表示ラベルを差し込む際には、表示ラベルは、両側に配置された一対の第２係止突起の内側の稜線部（傾斜した先端面と内側面との交差部）に強く接触した状態で差し込まれる。請求項３の発明によれば、一対の第２係止突起の前記交差部に相当する部分が面取りされているので、係止開口に対する表示ラベルの差込み抵抗が小さくなって、差込み作業が容易となる。
【００１３】
【００１４】
【００１５】
【発明の実施の形態】
以下、実施形態を挙げて、本発明を更に詳細に説明する。図１は、本発明に係るフラワーポットＰと表示ラベルＬ1 との分離状態の斜視図であり、図２は、同じくポットＰのラベル係止機構Ｅ1 に表示ラベルＬ1 が係止された状態を下方から見た斜視図であり、図３は、本発明に係るポットＰと表示ラベルＬ1 の使用状態を示す斜視図であり、図４は、ポットＰのラベル係止機構Ｅ1 に対して表示ラベルＬ1 が係止された状態の部分拡大斜視図であり、図５は、同じく部分拡大平面図であり、図６ないし図９は、それぞれ図５のＸ1 −Ｘ1 線ないしＸ4 −Ｘ4 線断面図である。
【００１６】
図１ないし図３に示されるように、フラワーポットＰは、ポット本体１の上縁に鍔部２が一体に形成された構成である。ポット本体１は、その上縁は正方形状になっていると共に、その下縁は円形となっていて、上縁から下縁に向けて横断面形状が徐々に変化した立体形状になっている。よって、ポット本体１の上縁には、正方形状の鍔部２が一体に形成されている。また、ポット本体１の底板部３には、十字状をした補強リブ４が内側に突出した状態で一体に形成され、前記底板部３には、前記補強リブ４の部分を含めて多数の排水孔５が半径方向に設けられている。
【００１７】
また、前記鍔部２は、図９に拡大表示されているように、その主体をなす傾斜板部２ａの外縁（斜上縁）に僅かに垂直板部２ｂが形成され、更に、該垂直板部２ｂの上縁に外側に向けてフランジ板部２ｃが設けられた構成である。そして、方形状の鍔部２を構成する４辺の中央部には、それぞれラベル係止機構Ｅ1 が設けられている。図４ないし図９に示されるように、ラベル係止機構Ｅ1 の部分には、ポット本体１の周壁板部６がそのまま上方にほぼ延長されて、内側対向壁板部７を形成していると共に、前記内側対向壁板部７の外側には、これと対向して外側対向壁板部８が形成され、両対向壁板部７，８の両端は、連結板部９で連結されて、これらで囲まれて形成される開口が、後述の表示ラベルＬ1,Ｌ'1, Ｌ2 を係止させる係止開口１０となっている。内側対向壁板部７は、ポット本体１の周壁板部６の肉厚をそのまま保持していて、比較的薄肉であるが、外側対向壁板部８は、前記内側対向壁板部７よりも遙に厚肉に形成され、しかもその内壁面８ａは、下端側がポット本体１の中心に近くなるように傾斜している（図８参照）。この外側対向壁板部８の外側の上端部に形成されたフランジ板部２ｃは、他の部分のフランジ板部２ｃと連続している。
【００１８】
また、内側対向壁板部７には、同一形状の第１係止突起１１の間に形状の異なる第３係止突起１３が形成されて、計３個で２種類の第１及び第３の各係止突起１１，１３は連続している。また、外側対向壁板部８には、前記一対の第１係止突起１１の両側に配置された状態で一対の第２係止突起１２がそれぞれ形成されている。そして、一対の第１係止突起１１は、図６に示されるように、上縁から下縁に向けて徐々に幅の狭くなった鈍角三角形状をしていて、その斜辺の傾斜は、前記外側対向壁板部８の傾斜角度とほぼ同一で、方向が逆になっている。第１係止突起１１の下縁と、外側対向壁板部８の下縁との間には、表示ラベルＬ1 が通過可能な隙間１４ａが形成されている。また、第３係止突起１３は、図７に示されるように、その上端部のみが面取りされて面取り部１３ａとなっていて、残りの外側対向壁板部８と対向する面は、垂直な当接保持面１３ｂとなっている。即ち、第３係止突起１３の当接保持面１３ｂは、その下縁から面取り部１３ａまでの部分に形成されて、その下縁には、対向する外側対向壁板部８との間に、表示ラベルＬ1 が通過可能な隙間１４ｂが形成されている。更に、外側対向壁板部８に形成された第３係止突起１３は、図８に示されるように、その下縁と内側対向壁板部７との間に、表示ラベルＬ1 が通過可能な隙間１４ｃが形成されるような形状をしている。
【００１９】
また、上記実施形態では、図５に示されるように、内側対向壁板部７に形成された一対の第１係止突起１１及び第３係止突起１３の各突出長は、いずれも等しくなっている。
【００２０】
一方、表示ラベルＬ1 は、形状保持性を有する紙で製作されて、その表面は撥水処理されており、図１、図４及び図５に示されるように、ラベル本体２１の下端部に、これよりも狭幅の差込みヘッド２２が一体に形成され、前記差込みヘッド２２の部分に、水平方向（左右方向）に沿って所定間隔をおいて横長方形状をした一対の被係止孔２３が同方向に形成されたものである。図４及び図５に示されるように、一対の被係止孔２３の外端の間隔は、前記ラベル係止機構Ｅ1 を構成する計５本の係止突起のうち、両端の一対の第２係止突起１２の外側の間隔に対応しており、各被係止孔２３の水平方向の長さは、第３係止突起１３と、その内側に隣接して配置された第１係止突起１１の外側の間隔に対応している。表示ラベルＬ1 の本体２１には、ポットＰで育成された状態で陳列される植物Ａの種類、等級等が表示される。
【００２１】
そして、ポットＰの係止開口１０に対してその直上から表示ラベルＬ1 の差込みヘッド２２を差し込むと、図４及び図５に示されるように、前記差込みヘッド２２の略下半部が係止開口１０から下方に突出して、横断面視で僅かにわん曲した状態で、一対の被係止孔２３は、それぞれ隣接する２個の第１及び第２の各係止突起１１，１２に対して係止される。即ち、各被係止孔２３の上縁及び下縁が前記２個の第１及び第２の各係止突起１１，１２の各傾斜面（先端傾斜面）及び各底面にそれぞれ係止すると共に、その両側縁が前記２個の第１及び第２の各係止突起１１，１２の各外側面にそれぞれ係止して、表示ラベルＬ1 は、二対の計４個の第１及び第２の各係止突起１１，１２に対して容易に上方に抜けなくて、しかも左右方向にずれない状態で係止される。
【００２２】
また、中央の第３係止突起１３の部分においては、図７に示されるように、その対向面である垂直な当接保持面１３ｂが、表示ラベルＬ1 の差込みヘッド２２における一対の被係止孔２３の中間の部分に当接し、しかも前記当接保持面１３ｂの下端と、これと対向する外側対向壁板部８との間の隙間１４ｂは、表示ラベルＬ1 の厚さに対してそれ程大きくない関係になっている。従って、ラベル係止機構Ｅ1 による上記係止構造と相俟って、計４個の第１及び第２の各係止突起１１，１２に係止されている表示ラベルＬ1 は、前後方向（特に手前側）に対して大きく傾斜しなくて、垂直に近い状態を保持して、ポットＰの鍔部２に差し込まれて係止されている。
【００２３】
また、第３係止突起１３の当接保持面１３ｂによって、表示ラベルＬ1 が垂直に近い状態を保持する機能は、係止開口１０の幅Ｗ（図８参照）とは、殆ど無関係である。このため、係止開口１０の幅Ｗは、表示ラベルＬ1 の厚さに比較して遙に大きくしてあり、これにより、多数のポットＰに対して表示ラベルＬ1 を差し込んで係止させる作業を容易に、しかも迅速に行える（係止開口１０の幅が狭いと、表示ラベルＬ1 が前後に大きく傾斜しなくなるが、幅の狭い係止開口１０に表示ラベルＬ1 を差し込んで係止させる作業は手間取る）。
【００２４】
また、植物の苗類をポットＰに移植するに先立って、図２４に示されるように、縦横に多分割されたポットフレームＦの方形状をした各収納部にそれぞれポットＰを収納し、この状態で各ポットＰに土を充填する。この土の充填時において、鍔部２の幅Ｗが広いために、通常の水平な鍔部の場合には、この鍔部に土が溜まるが、本発明のポットＰでは、その鍔部２は、傾斜板部２ａによって外縁が高くなるように傾斜しているために、前記鍔部２に土が溜まらなくなる（図３参照）。なお、図３において、ポットＰに移植されて生育した植物Ａを示す。
【００２５】
引き続いて、ポットＰのラベル係止機構Ｅ1 に差込み係止される異なる表示ラベルＬ2,Ｌ'1と、その係止構造に関して説明する。図１０ないし図１２に示される表示ラベルＬ2 は、ラベル本体３１と差込みヘッド３２との接続部３３に、幅方向の両端に開口した略三角形状をした一対の被係止溝３４が形成されている。この被係止溝３４の下縁３４ａは、ほぼ水平になっていると共に、その上縁３４ｂは、外縁の方が高くなるように傾斜している。
【００２６】
そして、上記表示ラベルＬ2 の差込みヘッド３２をラベル係止機構Ｅ1 の係止開口１０にその上方から差し込むと、図１１及び図１２に示されるように、ラベル本体３１と差込みヘッド３２との接続部３３が幅方向に沿って僅かにわん曲されて、その両端の各被係止溝３４に、計５個の係止突起のうち両端の一対の第２係止突起１２が入り込んで係止されると共に、前記接続部３３の中央部が、中央の第３係止突起１３の当接保持面１３ｂに密着状態で当接して保持される。表示ラベルＬ2 の両端の一対の被係止溝３４にそれぞれ第２係止突起１２が係止されることにより、ポットＰに対して表示ラベルＬ2 が容易に上方に抜けたり、左右方向に移動するのが防止される。これに加えて、中央の第３係止突起１３の前面の当接保持面１３ｂが、表示ラベルＬ2 の接続部３３の面に密着状態で当接しているために、表示ラベルＬ2 の垂直姿勢が保持される。
【００２７】
更に、図１３及び図１４に示される表示ラベルＬ'1は、前記表示ラベルＬ1 に設けられた左右一対の被係止孔２３を連続させた横方向に細長い一つの被係止孔２４を備えたものであり、他の構成は、前記表示ラベルＬ1 と同一である。即ち、ポットＰの係止開口１０に表示ラベルＬ'1の差込みヘッド２２’を差し込むと、被係止孔２４の両端部に、両端の一対の第２係止突起１２が入り込んで、両者２４，１３が係止すると共に、差込みヘッド２２’における被係止孔２４の上縁よりも上方の部分が、中央の第３係止突起１３の前面の当接保持面１３ｂに密着状態で当接する。これにより、表示ラベルＬ'1は、起立姿勢を保持し易くなる。
【００２８】
引き続いて、別の構造のラベル係止機構Ｅ2 に対して表示ラベルＬ1 を差し込んで係止させる場合について説明する。このラベル係止機構Ｅ2 は、前記ラベル係止機構Ｅ1 において、これを構成する第２及び第３の各係止突起１２，１３の形状を変更したのみであって、他の部分の構成は、ラベル係止機構Ｅ1 と同一である。よって、ラベル係止機構Ｅ2 の説明に関して、ラベル係止機構Ｅ1 と同一部分には同一符号を付し、異なる第２及び第３の各係止突起１２，１３の形状を中心にして説明する。
【００２９】
図１５は、ポットＰのラベル係止機構Ｅ2 に対して表示ラベルＬ1 が係止された状態の部分拡大斜視図であり、図１６は、同じく部分拡大平面図であり、図１７は、内側面１２'aが外側面１２'bの側に傾斜した第２係止突起１２’を先端傾斜面１２'cの側から見た斜視図である。
【００３０】
ここで、上記実施形態のラベル係止機構Ｅ1 において、表示ラベルＬ1 のように、その被係止部が左右一対の横長方形状の被係止孔２３で構成されている場合には、左右の各被係止孔２３は、左右の一組ずつの第１及び第２の各係止突起１１，１２に係止して、表示ラベルＬ1 は、第１係止突起１１の先端縁よりも僅かに基端側に配置された状態で、係止開口１０に対して係止される。また、表示ラベルのＬ'1のように、係止部が、上記一対の被係止孔２３で構成される場合よりも細長比の大きな横長方形状の１つの被係止孔２４で構成されている場合には、この被係止孔２４は、外側の一対の第２係止突起１２と係止して、内側の一対の第１係止突起１１の先端縁は、前記被係止孔２４に挿入された状態となって、表示ラベルＬ'1は、第１係止突起１１の先端縁よりも僅かに基端側に配置された状態で、係止開口１０に対して係止される。このため、一対の第１係止突起１１と、その間に同方向を向いて突設された第３係止突起１３との各突出長が等しい場合には、表示ラベルＬ1 の当該部分が無理にわん曲されると共に、各被係止孔２３に対する第１係止突起１１の係止量（被係止孔２３に対する第１係止突起１１の挿入量）も少なくなって、係止状態が不安定となる。
【００３１】
そこで、ラベル係止機構Ｅ2 では、一対の第１係止突起１１の間に同方向に突設される第３係止突起１３’の突出長（Ｔ1)を、前記一対の第１係止突起１１の突出長（Ｔ2)よりも短くして、上記不具合を解消している。即ち、図１６に示されるように、一対の第１係止突起１１と、その間に配置された第３係止突起１３’の各突出長（Ｔ1,Ｔ2)を上記の関係にすることにより、表示ラベルＬ1 の被係止孔２３に対する第１係止突起１１の挿入量が大きくなって、表示ラベルＬ1 が大きくわん曲しなくなると共に、一対の第１係止突起１１の間の第３係止突起１３’の当接保持面１３'bに対する表示ラベルＬ1 の当接状態が安定し、結果として、被係止孔２３に対する第２係止突起１２の係止量が大きくなって、係止開口１０に対する表示ラベルＬ1 の係止状態が安定化する。
【００３２】
また、第１及び第２の各係止突起１１，１２は、該表示ラベルＬ1 の被係止孔２３に対して係止可能にするために、側面視においてその下端部が部分的に重複している。このため、係止開口１０に表示ラベルＬ1 の差込みヘッド３２を差し込む際に、表示ラベルＬ1 は、横断面視でわん曲された状態で、第２係止突起１２の内側面と先端傾斜面との稜線部に強く接触することが原因となって、その差込み抵抗が大きくなる。
【００３３】
そこで、一対の第２係止突起１２’に関しては、傾斜した外側対向壁板部８に形成されているために、側面視では鈍角三角形状になっているが、その内側面１２'aが外側面１２'bの側に傾斜して、内側面と先端傾斜面との間が面取り状態となっている。よって、第２係止突起１２’の肉厚は、上端から下端に向けて漸次厚くなっていて、係止開口１０に対して表示ラベルＬ1 を差し込む際には、その差込みヘッド３２は、一対の第２係止突起１２’の内側の傾斜した内側面１２'aに接触した状態で差し込まれるので、その差込み抵抗が小さくなって、係止開口１０に対して表示ラベルＬ1 をスムーズに差し込むことができる。
【００３４】
そして、第２係止突起１２’の内側面と先端傾斜面との稜線部に対して表示ラベルＬ1 が強く接触するのを防止するための他の形状として以下のものが挙げられる。図１８及び図１９に示される形状は、その内側面１２'aの全面ではなくて、上端から途中までの部分のみを部分的に外側面１２'bの側に傾斜させた例である。図２０及び図２１に示される形状は、第２係止突起１２’の内側面１２'aと先端傾斜面１２'cとの間の稜線部を面取りして面取り面１２'dを形成した例であり、更に、図２２及び図２３に示される形状は、図２０及び図２１に示される第２係止突起１２’形状において、その内側面１２'aを消失させて、面取り面１２'dの面積を大きくしたものである。いずれの形状においても、係止開口１０に対する表示ラベルＬ1 の差込み抵抗を減ずることができる。
【００３５】
なお、一対の第２係止突起１２’の内側面と先端傾斜面との稜線部を面取り状態にすることにより、表示ラベルの差込み抵抗が小さくなる効果は、他の表示ラベルＬ'1，Ｌ2 においても生ずるものである。また、一対の第１係止突起１１の間に配置された第３係止突起１３の突出長（Ｔ1)を、前記第１係止突起１１の突出長（Ｔ2)よりも短くすることにより、係止開口１０に対する表示ラベルの差込み状態が安定化する効果は、表示ラベルＬ'1においても同様に生ずる。
【００３６】
【発明の効果】
請求項１ないし３の各発明によれば、ラベル係止機構を備えたフラワーポットにおいて、内側の一対の第１係止突起の間に、これと同一側に向けて突出する第３係止突起を設けて、該第３係止突起の下端から所定長の部分までの間に、前記係止開口に差し込まれた表示ラベルのラベル面に当接する垂直な当接保持面が形成されているので、係止開口に差込み係止された表示ラベルは、垂直を保持し易くなって、前後方向に大きく傾斜するのが防止される。
【００３７】
【図面の簡単な説明】
【図１】  本発明に係るフラワーポットＰと表示ラベルＬ1 との分離状態の斜視図である。
【図２】  同じくポットＰのラベル係止機構Ｅ1 に表示ラベルＬ1 が係止された状態を下方から見た斜視図である。
【図３】  本発明に係るポットＰと表示ラベルＬ1 の使用状態を示す斜視図である。
【図４】  ポットＰのラベル係止機構Ｅ1 に対して表示ラベルＬ1 が係止された状態の部分拡大斜視図である。
【図５】  同じく部分拡大平面図である。
【図６】  図５のＸ1 −Ｘ1 線断面図である。
【図７】  図５のＸ2 −Ｘ2 線断面図である。
【図８】  図５のＸ3 −Ｘ3 線断面図である。
【図９】  図５のＸ4 −Ｘ4 線断面図である。
【図１０】  表示ラベルＬ2 の斜視図である。
【図１１】  ポットＰのラベル係止機構Ｅ1 に対して表示ラベルＬ2 が係止された状態の部分拡大斜視図である。
【図１２】  同じく部分拡大平面図である。
【図１３】  ポットＰのラベル係止機構Ｅ1 に対して表示ラベルＬ'1が係止された状態の部分拡大斜視図である。
【図１４】  同じく部分拡大平面図である。
【図１５】  ポットＰのラベル係止機構Ｅ2 に対して表示ラベルＬ1 が係止された状態の部分拡大斜視図である。
【図１６】  同じく部分拡大平面図である。
【図１７】  全面が傾斜した内側面１２'aとなった第２係止突起１２’を先端傾斜面１２'cの側から見た斜視図である。
【図１８】  一部が傾斜した内側面１２'aとなった一対の第２係止突起１２’を備えたラベル係止機構Ｅ2 の部分拡大平面図である。
【図１９】  一部が傾斜した内側面１２'aとなった一対の第２係止突起１２’を先端傾斜面１２'cの側から見た斜視図である。
【図２０】  内側面１２'aと先端傾斜面１２'cとの間の稜線部に面取り面１２'dが設けられた第２係止突起１２’を備えたラベル係止機構Ｅ2 の部分拡大平面図である。
【図２１】  内側面１２'aと先端傾斜面１２'cとの間の稜線部に面取り面１２'dが設けられた第２係止突起１２’を先端傾斜面１２'cの側から見た斜視図である。
【図２２】  内側面１２'aが消失して面取り面１２'dの面積が大きくなった第２係止突起１２’を備えたラベル係止機構Ｅ2 の部分拡大平面図である。
【図２３】  内側面１２'aが消失して面取り面１２'dの面積が大きくなった第２係止突起１２’を先端傾斜面１２'cの側から見た斜視図である。
【図２４】  本発明に係るフラワーポットＰがポットフレームＦにセットされた状態の斜視図である。
【図２５】  従来のポットのラベル係止機構（構造）を示す斜視図である。
【符号の説明】
Ｅ1,Ｅ2 ：ラベル係止機構
Ｌ1,Ｌ'1, Ｌ2 ：表示ラベル
Ｐ：フラワーポット
１：ポット本体
２：鍔部
２ａ：鍔部の傾斜板部
１０：係止開口
１１：第１係止突起
１２，１２’：第２係止突起
１２'a：内側面
１２'c：先端傾斜面
１２'d：面取り面
１３，１３’：第３係止突起
１３b,１３'b：当接保持面
２３，２４：被係止孔（被係止部）
３４：被係止溝（被係止部）
【図１】
0003828800.tif 000002
【図２】
0003828800.tif 000003
【図３】
0003828800.tif 000004
【図４】
0003828800.tif 000005
【図５】
0003828800.tif 000006
【図６】
0003828800.tif 000007
【図７】
0003828800.tif 000008
【図８】
0003828800.tif 000009
【図９】
0003828800.tif 000010
【図１０】
0003828800.tif 000011
【図１１】
0003828800.tif 000012
【図１２】
0003828800.tif 000013
【図１３】
0003828800.tif 000014
【図１４】
0003828800.tif 000015
【図１５】
0003828800.tif 000016
【図１６】
0003828800.tif 000017
【図１７】
0003828800.tif 000018
【図１８】
0003828800.tif 000019
【図１９】
0003828800.tif 000020
【図２０】
0003828800.tif 000021
【図２１】
0003828800.tif 000022
【図２２】
0003828800.tif 000023
【図２３】
0003828800.tif 000024
【図２４】
0003828800.tif 000025
【図２５】
0003828800.tif 000026